(57)【特許請求の範囲】
【請求項１】
床部に設けられる開口部に取り付けられる外枠と、この外枠内に着脱可能に嵌合する内枠と、この内枠を周縁に装着してなる開閉用の蓋体とを具備する床点検口に取り付けられる床点検口用取手であって、
上記蓋体に穿設された取付孔内に嵌挿固定される筒体と、
上記筒体内に移動及び傾動可能に貫通する杆体と、
上記杆体の上端部に連結される板状の取手本体と、を具備し、
上記筒体は、略円筒状に形成されると共に、上記蓋体の上面に露出するフランジを設け、
上記杆体の下部に、上記筒体の内径より大きい係止部を設け、
上記取手本体は、この取手本体の裏面に上記筒体のフランジを遊嵌状に包囲する溝部と、外周の一部に段部を形成してなり、この段部を下方に移動することにより、段部と対向する側の取手本体の側辺を蓋体表面から浮き上がらせて取手本体への手掛けを可能にした、
ことを特徴とする床点検口用取手。
【請求項２】
請求項１記載の床点検口用取手において、
上記筒体は、下端部外周面に雄ねじ部を有する筒状基部を具備し、この筒状基部を蓋体に穿設された取付孔内に挿入し、取付孔から突出する上記雄ねじ部に固定ナットを締結して、筒体を蓋体に嵌挿固定することを特徴とする床点検口用取手。
【請求項３】
請求項２記載の床点検口用取手において、
上記筒体の上端開口部の内周面を、工具と係合可能な非円形状に形成してなることを特徴とする床点検口用取手。
【請求項４】
請求項１ないし３のいずれかに記載の床点検口用取手において、
上記筒体の上端開口部に上方に向かって拡径するテーパ部を設け、取手本体の下面に、上記テーパ部に摺動可能に係合する截頭円錐状凸部を形成してなることを特徴とする床点検口用取手。
【請求項５】
請求項１ないし４のいずれかに記載の床点検口用取手において、
上記取手本体の上面における段部と対応する部位に、目印を施してなることを特徴とする床点検口用取手。
【発明の詳細な説明】
【０００１】
【発明の属する技術分野】
この発明は、床点検口用取手に関するもので、更に詳細には、床部に設けられる開口部に取り付けられる外枠と、この外枠に着脱可能に嵌合する内枠を周縁に装着してなる開閉用の蓋体とを具備する床点検口用の取手に関するものである。
【０００２】
【従来の技術】
従来のこの種の床点検口用取手としては、例えば図８（ａ）、（ｂ）に示すように、開閉用の蓋体ａの一端に開口された取手取付用の四角穴ｂに、取手Ｔを嵌装したものが知られている。この取手Ｔは、蓋体ａに開口された四角穴ｂ内に取り付けられる平面方形状の取付枠ｃと、この取付枠ｃの開口部にヒンジピンｄによって起倒可能に取り付けられる断面略半円状の取手本体ｅとで主に構成されている。
【０００３】
上記のように構成される取手Ｔは、蓋体ａの閉塞時には、蓋体の下方に取手本体ｅが収納され、蓋体ａの開放時には、取手本体ｅを回動して蓋体ａの上面に起立し、起立された取手本体ｅを把持して蓋体ａを開放することができる。なお、取付枠ｃは、取付枠ｃの上部に形成されたフランジ部ｆと、蓋体ａの下面に配置される取付板ｇとを取付ボルトｈによって連結することにより、フランジ部ｆと取付板ｇとが蓋体ａを挟持することによって取り付けることができる。
【０００４】
また、従来の別の床点検口用取手としては、例えば実公昭５４−２５９３号公報に開示されているものが知られている。この床点検口用取手は、図９に示すように、蓋体ａに開口された矩形状の窓孔ｊに取り付けられる上下部に分割する箱状の受座ｋ１，ｋ２と、この受座ｋ１，ｋ２の中央部に設けられた孔ｍ内に移動自在に貫通する杆体ｎとで主に構成されている。この場合、受座ｋ１，ｋ２には、孔ｍの周囲にすり鉢状の凹部ｐが設けられると共に、凹部ｐの対向する２辺に連なる爪掛部ｑが設けられている。一方、杆体ｎの上端には、凹部ｐ内に収納可能に係合する皿状頭部ｒが一体に形成され、また、杆体ｎの下端部には、杆体ｎに刻設された雄ねじ部ｓにストッパ用のナットｔがねじ結合されている。
【０００５】
上記のように構成される床点検口用取手Ｔによれば、凹部ｐ内に収納されている杆体ｎの皿状頭部ｒを、爪掛部ｑに挿入した指で掴んで杆体ｎを引き上げることによって蓋体ａを開放することができる。
【０００６】
【発明が解決しようとする課題】
しかしながら、従来の取手はいずれも蓋体ａに四角状や矩形状の開口（四角穴ｂ、窓孔ｊ）を切欠き加工する必要があるため、切欠き作業に手間を要するという問題があった。また、前者すなわち図８（ａ），（ｂ）に示す取手においては、取付枠ｃの上部に形成されたフランジ部ｆと、蓋体ａの下面に配置される取付板ｇとを取付ボルトｈによって連結することにより、フランジ部ｆと取付板ｇとが蓋体ａを挟持することによって取り付ける構造であるため、構造が複雑であると共に、取付に手間が掛かるという問題があった。更には、取付枠ｃを必要とするため、取手が大きくなりコストが嵩むという問題があり、また、取付枠ｃと取手本体ｅとの隙間にゴミが溜まり易く、蓋体ａの開閉操作に支障をきたすという問題もあった。
【０００７】
一方、後者すなわち実公昭５４−２５９３号公報に記載の取手においては、皿状頭部ｒを摘んで杆体ｎを引き上げることで蓋体ａを開放できるので、蓋体ａの開閉を簡単に行うことができるが、箱状の受座ｋ１，ｋ２の上下端面を一致させて蓋体ａに設けられた窓孔ｊ内に嵌着固定するため、取付作業が面倒であるという問題があった。更には、取手本体ｅの皿状頭部ｒを掴むために必要な爪掛部ｑの部分にごみ等が堆積し、蓋体ａの開閉に支障をきたすという問題もある。また、取手本体ｅ以上に大きな受座ｋ１，ｋ２が必要となるため、大型化するという問題もある。
【０００８】
この発明は、上記事情に鑑みなされたもので、床点検口用取手の蓋体への取付を容易にすると共に、蓋体の開閉操作を容易に行うことができる床点検口用取手を提供することを目的とするものである。
【０００９】
【課題を解決するための手段】
上記目的を達成するために、請求項１記載の発明は、床部に設けられる開口部に取り付けられる外枠と、この外枠内に着脱可能に嵌合する内枠と、この内枠を周縁に装着してなる開閉用の蓋体とを具備する床点検口に取り付けられる床点検口用取手であって、  上記蓋体に穿設された取付孔内に嵌挿固定される筒体と、上記筒体内に移動及び傾動可能に貫通する杆体と、  上記杆体の上端部に連結される板状の取手本体と、を具備し、  上記筒体は、略円筒状に形成されると共に、上記蓋体の上面に露出するフランジを設け、  上記杆体の下部に、上記筒体の内径より大きい係止部を設け、  上記取手本体は、この取手本体の裏面に上記筒体のフランジを遊嵌状に包囲する溝部と、外周の一部に段部を形成してなり、この段部を下方に移動することにより、段部と対向する側の取手本体の側辺を蓋体表面から浮き上がらせて取手本体への手掛けを可能にした、ことを特徴とする。
【００１０】
このように構成することにより、蓋体に設けられた取付孔内に筒体を貫挿固定し、この筒体内に移動及び傾動可能に杆体を貫通し、杆体の上端に取手本体を連結することで、取手を蓋体に取り付けることができる。したがって、取手の蓋体への取付を容易にすることができる。また、蓋体の閉塞状態では蓋体の上面に載置されている取手本体の段部を下方に移動して、段部と対向する側の取手本体の側辺を蓋体表面から浮き上がらせ、取手本体に指を掛けて取手本体を上方に持ち上げると、杆体が筒体内を移動して上方に引き上げられ、筒体の下部と杆体の係止部が係合するので、蓋体を開放することができる。したがって、蓋体の開閉を容易にすることができる。
【００１１】
請求項２記載の発明は、請求項１記載の床点検口用取手において、  上記筒体は、下端部外周面に雄ねじ部を有する筒状基部を具備し、この筒状基部を蓋体に穿設された取付孔内に挿入し、取付孔から突出する上記雄ねじ部に固定ナットを締結して、筒体を蓋体に嵌挿固定することを特徴とする。この場合、上記筒体の上端開口部の内周面を、工具と係合可能な非円形状に形成する方が好ましい（請求項３）。ここで、非円形状としては、例えば三角形、四角形、五角形、六角形等の多角形状の他に、楕円形あるいは円形の円周の一部に平坦部を有する形状等が考えられる。一般には、六角形状の非円形状にして例えば六角レンチ等の工具を係合可能にすることができる。
【００１２】
このように構成することにより、取付孔内に嵌挿された筒体の下端部に形成された雄ねじ部に固定ナットを締結することによって、筒体を蓋体に嵌装固定することができるので、筒体の取付を簡単に行うことができると共に、強固に固定することができる。この場合、筒体の上端開口部の内周面に形成された非円形部に工具を係合させて、固定ナットを締結することができるので、蓋体に筒体を確実かつ強固に嵌挿固定することができる。
【００１３】
請求項４記載の発明は、請求項１ないし３のいずれかに記載の発明において、上記筒体の上端開口部に上方に向かって拡径するテーパ部を設け、取手本体の下面に、上記テーパ部に摺動可能に係合する截頭円錐状凸部を形成することを特徴とする。
【００１４】
このように構成することにより、取手本体の下面に段部が形成されている上面部を押圧して移動した際に、筒体の上端開口部に形成されたテーパ部と、取手本体の下面に形成された截頭円錐状凸部が摺動することにより、段部の形成された部分と対向する部分が容易に上方に起き上がるので、取手本体を掴んで開閉操作を行うことができる。
【００１５】
請求項５記載の発明は、請求項１ないし４のいずれかに記載の床点検口用取手において、  上記取手本体の上面における段部と対応する部位に、目印を施してなることを特徴とする。
【００１６】
このように構成することにより、目印によって取手本体の押圧部を容易に把握することができるので、蓋体の開放を容易にすることができる。
【００１７】
【発明の実施の形態】
以下に、この発明の床点検口用取手について、添付図面に基づいて詳細に説明する。図１は、この発明の取手を具備する床点検口の概略平面図、図２は、床点検口の主要部を示す断面図である。
【００１８】
上記床点検口１は、図１及び図２に示すように、床Ｆ部に設けられた略方形状の開口部５内に取り付けられる外枠２と、この外枠２内に着脱可能に嵌合する内枠３と、内枠３を蓋板材３３の周縁に装着してなる蓋体４とで主要部が構成されており、蓋体４の蓋板材３３にこの発明に係る取手１０が取り付けられている。
なお、外枠２と開口部５との隙間は、第１のシール部材である第１のパッキン９Ａにてシールされており、また、外枠２と内枠３との隙間は、第２のシール部材である第２のパッキン９Ｂにてシールされている。
【００１９】
上記外枠２は、図２に示すように、床Ｆ部に略方形状に形成された開口部５内に取り付けられる枠組形状のものであって、内枠３の載置用の下フランジ２１と、その上に周囲に沿い起立して形成された起立壁２２と、起立壁２２の上端に水平方向に沿い外方に延びるように形成された上フランジ２３と、起立壁２２の外側部に突設された側片部２４とを有して断面略Ｌ状をなしている。この外枠２は、下フランジ２１を床根太Ｎの内側に固定された副根太Ｓの上に載置し、また、上フランジ２３を床Ｆ面に接すると共に、側片部２４を床根太Ｎの端面に当接させた状態にあるとき、下フランジ２１のねじ挿通孔（図示せず）から木ねじ６を副根太Ｓに締め付けることにより、開口部５内に取り付けられるようになっている。
【００２０】
上記内枠３は、四つの内枠材３１を図示しないるコーナー結合部材を介して四角の枠状に結合されている。この場合、内枠材３１は、図２に示すように、断面略コ字状に形成されており、内周側に延在する下フランジ３２と上フランジ３４とにより、蓋板材３３を嵌挿するための取付溝３５を有している。取付溝３５内に挿入された蓋板材３３は、下フランジ３１の下方から挿入される木ねじ７Ａを締め付けることによって固定される。
【００２１】
また、内枠材３１は、上フランジ３４の内壁にわずかながら垂下する突起３６が形成されると共に、下フランジ３２の基部に段差部３７が形成され、この段差部３７側の下フランジ３２及び突起３６と、起立壁３８との間に、コーナーピース（図示せず）を挿入できるようになっている。また、内枠材３１は、上フランジ３４の外縁には外方に若干突出する膨出部３９が設けられており、この膨出部３９によって、平面視における外枠２と内枠３との隙間を狭くしている。
【００２２】
なお、蓋板材３３の底部には、外方に延びる一対の翼片４１を有する断面ハット状の補強材４０が木ねじ７Ｂによって取り付けられている。この補強材４０は、例えばスチール製部材にて形成されている。
【００２３】
なお、本実施形態において、内枠材３１は、外枠１と同様にアルミニウム合金製押出形材にて形成されている。
【００２４】
また、上記第１及び第２のパッキン９Ａ，９Ｂは、例えば合成ゴム等の伸縮自在な弾性材によって断面円形の紐状をなしており、その両端が連結金具（図示せず）や接着等によっていわゆるエンドレスとなる環状すなわち無端状に形成されている。
【００２５】
上記のように構成される蓋体４には、蓋体４を開閉するための取手１０が装着されている。取手１０は、図１ないし図４に示すように、蓋体４（具体的には蓋板部材３３）に穿設された円形状の取付孔８内に嵌挿固定される筒体１１と、この筒体１１内に隙間１２をおいて移動及び傾動可能に貫通する杆体１３と、この杆体１３の上端部に連結される取手本体１４とで主に構成されている。
【００２６】
上記筒体１１は、略円筒状に形成される筒状基部１１ａと、この筒状基部１１ａの上端に設けられて、蓋体４の上面に露出するフランジ１１ｂと、筒状基部１１ａの下端部外周面に刻設される雄ねじ部１１ｃとを具備しており、蓋体４（蓋板材３３）に設けられた取付孔８内に筒状基部１１ａが嵌挿された状態で、下方に突出する筒状基部１１ａの雄ねじ部１１ｃに固定ナット１５が締結されることで、フランジ１１ｂと固定ナット１５との間に蓋体の蓋板材３３を挟持して、筒体１１が取付孔８に強固に嵌挿固定されている。
【００２７】
また、筒体１１の上端開口部には、上方に向かって拡径するテーパ部１１ｄが設けられると共に、テーパ部１１ｄの下部側の内周面には、非円形状部例えば六角形状部１１ｅが形成されている（図２〜図４参照）。筒体１１の上端開口部に設けられた拡径テーパ部１１ｄには、後述する取手本体１４の下面に設けられた截頭円錐状の凸部１４ａが摺動可能に係合されるようになっている（図４参照）。また、非円形状部例えば六角形状部１１ｅには、図６に示すように、工具例えば六角レンチ１６が係合されて、蓋体４（蓋板材３３）の取付孔８内に嵌挿された筒体１１の筒状基部１１ａへの固定ナット１５の締結を容易に行えるようにしている。
【００２８】
上記杆体１３は、下端部に、筒体１１の内径より大きい係止部としての六角頭部１３ａを有し、上端部に、取手本体１４取付用の雄ねじ部１４ｂを有するボルトにて形成されている。なお、係止部は必ずしも六角頭部１３ａにて形成する必要はなく、筒体１１の内径より大きい寸法で、杆体１３が筒体１１から抜け出るのを防止するものであれば、任意の形状例えば円形、四角等であってもよい。
【００２９】
一方、上記取手本体１４は、上面が緩やかな半球面をなす円弧状面１４ｂを有する板状の基部１４ｃを具備しており、基部１４ｃの下面に上記筒体１１のフランジ１１ｂを遊嵌状に包囲する溝部１４ｄと、この溝部１４ｄに連なる外周の一部に段部１４ｅが形成されている。また、取手本体１４の基部１４ｃの下面中央部には、下方に向かって縮径のテーパ状面を有する截頭円錐状の凸部１４ａが形成されると共に、凸部１４ａの下端部中央に、上記杆体１３の雄ねじ部１３ｂとねじ結合する雌ねじ部１４ｆが刻設されている（図３、図４及び図７参照）。このように、取手本体１４の基部１４ｃの下面中央部に、下方に向かって縮径のテーパ状面を有する截頭円錐状の凸部１４ａを形成することにより、凸部１４ａが筒体１１のテーパ部１１ｄと係合するので、がたつきなく取手本体１４の収まりが良好となると共に、杆体１３の傾動操作が容易となる。また、取手本体１４の基部１４ｃ上面における段部１４ｅと対応する部位には、目印である窪み１７が施されている。
【００３０】
上記のように構成される取手１０を蓋体４すなわち蓋板材３３に取り付けるには、まず、蓋板材３３の一辺側の適宜位置に取付孔８を筒体１１の外径に合わせて穿設する。この場合、取付孔８は丸孔でよいため、ドリルで容易に穿設することができる。次に、取付孔８内に筒体１１の筒状基部１１ａを嵌挿してフランジ１１ｂを蓋板材３３の表面に露出させると共に、筒状基部１１ａの下端部を蓋板材３３の下方に突出させ、下方に突出した筒状基部１１ａに設けられた雄ねじ部１１ｃに固定ナット１５を締結して筒体１１を蓋板材３３に嵌挿固定する。この際、筒体１１に設けられた非円形状部である六角形状部１１ｅに六角レンチ１６（工具）を係合させることで、固定ナット１５の締結すなわち筒体１１の嵌挿固定を確実にかつ強固に行うことができる。
【００３１】
次に、蓋板材３３の下方から筒体１１内に杆体１３を隙間１２をおいて移動及び傾動可能に貫通し、上方に突出した杆体１３の上端部に設けられた雄ねじ部１３ｂに取手本体１４の下面に突設された截頭円錐状凸部１４ａに設けられた雌ねじ部１４ｆをねじ結合して、杆体１３と取手本体１４とを連結して、取手１０の取付を完了する。
【００３２】
上記のようにして取手１０を取り付けた蓋体４を、床Ｆ部に設けられた開口５内に取り付けられた外枠２内に嵌合して蓋体４を閉塞すると、図４に示すように、杆体１３が自重によって下方に移動し、取手本体１４が筒体１１のフランジ１１ｂを遊嵌状に包囲した状態で蓋体４（蓋板材３３）の上面に載置される。したがって、取手本体１４は筒体１１のフランジ１１ｂに対して水平方向に回転自在の状態にある。この状態において、段部１４ｅと蓋体４（蓋板材３３）の上面との間に隙間が生じるが、この隙間は僅かであり、取手本体１４は蓋体４（蓋板材３３）の上面に載置されているので、歩行の際に取手本体１４につまずくおそれはない。しかも、取手本体１４は板状に形成されると共に、上面が緩やかな半球面をなす円弧状面１４ｂを有するので、足で踏んでも足裏に与える違和感を抑制することができる。
【００３３】
蓋体４を開放する場合は、まず、図５に矢印▲１▼に示すように、窪み１７を目印として取手本体１４の段部を押圧して下方に移動することにより、図５に矢印▲２▼に示すように、筒体１１内を貫通する杆体１３が傾動して段部１４ｅの外周面側の両端が蓋板材３３の上面に当接する点を支点として段部１４ｅと対向する側の取手本体１４の側辺が蓋体表面から浮き上がる（図５の矢印▲３▼）ので、この浮き上がった部分に指を掛けて、図５に矢印▲４▼に示すように取手本体１４を引き上げると共に、杆体１３を引き上げて、係止部である六角頭部１３ａを筒体１１の下端すなわち固定ナット１５の下端面に係合させ、更に杆体１３を引き上げることによって蓋体４を簡単に開放することができる。
【００３４】
なお、上記実施形態では、目印が窪み１７である場合について説明したが、目印は必ずしも窪み１７である必要はなく、例えば、取手本体１４の上面に印刷等による目印を表示して目印としてもよい。
【００３５】
【発明の効果】
以上に説明したように、この発明は上記のように構成されているので、以下のような優れた効果が得られる。
【００３６】
（１）請求項１記載の発明によれば、蓋体に設けられた取付孔内に筒体を貫挿固定し、この筒体内に移動及び傾動可能に杆体を貫通し、杆体の上端に取手本体を連結することで、取手を蓋体に取り付けることができるので、取手の蓋体への取付を容易にすることができる。また、取手本体の段部を下方に押圧して、段部と対向する側の取手本体の側辺を蓋体表面から浮き上がらせ、取手本体に指を掛けて取手本体を上方に持ち上げて、蓋体を開放することができるので、蓋体の開閉を容易にすることができる。更には、筒状のフランジを取手本体が包囲するので、筒体と杆体との間にゴミが入ることなく、常に円滑に蓋体の開閉操作を行うことができる。
【００３７】
（２）請求項２記載の発明によれば、取付孔内に嵌挿された筒体の下端部に形成された雄ねじ部に固定ナットを締結することによって、筒体を蓋体に嵌装固定することができるので、筒体の取付を簡単に行うことができると共に、強固に固定することができる。この場合、筒体の上端開口部の内周面に形成された非円形部に工具を係合させて、固定ナットを締結することができるので、蓋体に筒体を確実かつ強固に嵌挿固定することができる（請求項３）。
【００３８】
（３）請求項４記載の発明によれば、取手本体の下面に段部が形成されている上面部を押圧して移動した際に、筒体の上端開口部に形成されたテーパ部と、取手本体の下面に形成された截頭円錐状凸部が摺動することにより、段部の形成された部分と対向する部分が容易に上方に起き上がるので、上記（１）に加えて取手本体を掴んで開閉操作を更に簡単に行うことができる。また、截頭円錐状に形成される凸部が筒体のテーパ部に接合して収納されるので、筒体と杆体との間に形成される傾動のための隙間を塞いで、取手本体ががたついたりすることがない。更には、取手本体の収納時には截頭円錐状に形成される凸部がガイドされて、自重で確実に筒体の中心に収納することができる。
【００３９】
（４）請求項５記載の発明によれば、目印によって取手本体の押圧部を容易に把握することができるので、上記（１）に加えて更に蓋体の開放を容易にすることができる。
【図面の簡単な説明】
【図１】この発明の取手を有する床点検口の概略平面図である。
【図２】上記床点検口を示す縦断面図である。
【図３】この発明の取手の一部を断面で示す分解断面図である。
【図４】この発明の取手の取付状態を示す断面図である。
【図５】この発明の取手を用いて蓋体を開放する直前の状態を示す断面図である。
【図６】この発明における非円形状部と工具を示す断面図である。
【図７】この発明における取手本体を示す斜視図である。
【図８】従来の取手を取り付けた状態の床点検口の蓋体を示す斜視図（ａ）及び取手の取付部の拡大断面図（ｂ）である。
【図９】従来の別の床点検口用取手を示す分解斜視図である。
【符号の説明】
２  外枠
３  内枠
４  蓋体
５  開口部
８  取付孔
１１  筒体
１１ａ  筒状基部
１１ｂ  フランジ
１１ｃ  雄ねじ部
１１ｄ  テーパ部
１１ｅ  六角形状部（非円形状部）
１２  隙間
１３  杆体
１３ａ  六角頭部（係止部）
１３ｂ  雄ねじ部
１４  取手本体
１４ａ  截頭円錐状凸部
１４ｄ  溝部
１４ｅ  段部
１４ｆ  雌ねじ部
１５  固定ナット
１６  六角レンチ（工具）
１７  窪み（目印）
【図１】
0004553226.tif 000002
【図２】
0004553226.tif 000003
【図３】
0004553226.tif 000004
【図４】
0004553226.tif 000005
【図５】
0004553226.tif 000006
【図６】
0004553226.tif 000007
【図７】
0004553226.tif 000008
【図８】
0004553226.tif 000009
【図９】
0004553226.tif 000010